(57)【要約】      （修正有）【課題】折畳み長テーブルの支脚を起立させることで従動的にロック状態となると共に、起伏させる操作を行うことで従動的にロック状態が解除される支脚ロック装置を提供する。【解決手段】折畳み長テーブル４０の長手方向の両側に設けられる支脚ロック装置１０であって、天板４１の裏側に取り付けられる支脚基台ユニット２０と、支脚２５をロックならびに解除するロックフレームユニット３０と、で構成し、そのロックフレームユニット３０のロック解除ブラケット３６を下方に押し下げて支脚２５を内側方向に押し倒すことによって従動的にロック状態が解除される。【選択図】図１
2016179156.tif 000002
【特許請求の範囲】
【請求項１】
折畳み長テーブルの長手方向の両側に設けられる支脚ロック装置であって、前記支脚ロック装置は、天板の裏側に取り付けられる支脚基台ユニットと、支脚をロックならびに解除するロックフレームユニットとで構成され、前記支脚基台ユニットは、天板の短手方向の両側に長手方向と平行に設けられる天板取付けフレームに起立ならびに起伏状態に回動される支脚を回動軸ピンを介して枢着し、該天板取付けフレームの側面の所定の位置には、回動ロッド軸が挿入される回動軸穴を横貫し、さらに延設される長手方向内側端には、前記支脚が起伏状態で係止される係止ストッパーを付設し、該支脚の所定の位置には、回動ロックフレームの摺動ガイド長穴間を摺動するガイドローラを短手方向の内向きに配設して成り、前記ロックフレームユニットは、長手方向外側に配置されるロック解除ブラケットと、長手方向内側に配置される枢軸鞘菅とをガイドローラ挿入穴と下方に屈曲するロック落とし込み穴とを連通する摺動ガイド長穴を設けた前記回動ロックフレームで両側から挟み込んで連結固定して成り、
前記支脚基台ユニットを前記ロックフレームユニットの両側に配置して固着した状態で、前記支脚同士を連結する連結桟フレームを掛け渡して連結固定すると共に、前記枢軸鞘菅と前記回動枢軸穴に回動ロッド軸を挿入して前記ロックフレームユニットを前記天板取付けフレームに枢着固定し、前記ガイドローラを前記回動ロックフレームのガイドローラ挿入穴から挿入して摺動ガイド長穴内を摺動可能とし、バネ体の一端を前記ロック解除ブラケットのバネ体掛止穴に掛止すると共に、該バネ体の他端を天板の裏側に固着して形成されることを特徴とする支脚ロック装置。
【発明の詳細な説明】
【技術分野】
【０００１】  本発明は、折畳み長テーブルの長手方向の両側に設けられる支脚のロック装置に関する。
【背景技術】
【０００２】  従来の折畳み長テーブルにおける支脚のロック手段は、支脚をロックする際に支脚を手で以って起立させた後、天板の下面に回転可能に備えた掛け金の先端を支脚の一端に係止させて支脚の起立状態をロックする手段が用いられてきた。【０００３】  しかしながら、従来における支脚のロック手段は、支脚の起立状態をロックする操作毎に掛け金を支脚に係止させなければならず、面倒であると共に、その掛け金の掛け忘れが生じるなどの問題があった。【０００４】  従来より、上記の問題点を解決しようとする提案がなされている。例えば、テーブルの天板に支脚を折畳み可能に備えたものにおいて、その支脚の起立操作によって支脚の起立状態が自動的にロックされることを特徴とする「脚折テーブルにおける支脚のロック装置」（特許文献１参照）が提案され、周知技術となっている。【０００５】  しかしながら、係る「脚折テーブルにおける支脚のロック装置」の提案は、支脚をロックする場合は、係止ピンが係止穴に落とし込まれて自動的にロックする状態となるが、支脚をロック状態から解除する場合は、支脚の係止ピンの位置を係止穴分内側方向にずらさなければならない（そのまま戻すと再び係止ピンが係止穴に嵌め込まれてしまう）ことから、自動的に支脚のロック装置を解除することができないものであった。【０００６】  本出願人は、以上のような従来の折畳み長テーブルにおける支脚ロック装置が自動的にロック装置を解除することができない問題に着目し、それらの問題点を容易且つ簡易的な手段で解決することができないものかとの着想の下、折畳み長テーブルの支脚を起立させることで従動的にロック状態となると共に、起伏させる操作を行うことで従動的にロック状態が解除される支脚ロック装置を開発し、本発明における「支脚ロック装置」の提案に至るものである。
【先行技術文献】
【特許文献】
【０００７】
【特許文献１】特開２００３−１３５１５５号公報
【発明の概要】
【発明が解決しようとする課題】
【０００８】  本発明は上記問題点を鑑み、折畳み長テーブルの支脚を起立させることで従動的にロック状態となると共に、起伏させる操作を行うことで従動的にロック状態が解除される支脚ロック装置の提供を図ることを課題とする。
【課題を解決するための手段】
【０００９】  本発明における支脚ロック装置は、上記課題を解決するためになされるもので、本発明の支脚ロック装置は、折畳み長テーブルの長手方向の両側に設けられる支脚ロック装置であって、前記支脚ロック装置は、天板の裏側に取り付けられる支脚基台ユニットと、支脚をロックならびに解除するロックフレームユニットと、で構成され、前記支脚基台ユニットは、天板の短手方向の両側に長手方向と平行に設けられる天板取付けフレームに起立ならびに起伏状態に回動される支脚を回動軸ピンを介して枢着し、該天板取付けフレームの側面の所定の位置には、回動ロッド軸が挿入される回動軸穴を横貫し、さらに延設される長手方向内側端には、前記支脚が起伏状態で係止される係止ストッパーを付設し、該支脚の所定の位置には、回動ロックフレームの摺動ガイド長穴間を摺動するガイドローラを短手方向の内向きに配設して成り、前記ロックフレームユニットは、長手方向外側に配置されるロック解除ブラケットと、長手方向内側に配置される枢軸鞘菅と、をガイドローラ挿入穴と下方に屈曲するロック落とし込み穴とを連通する摺動ガイド長穴を設けた前記回動ロックフレームで両側から挟み込んで連結固定して成り、前記支脚ユニットを前記ロックフレームユニットの両側に配置して固着した状態で、前記支脚同士を連結する連結桟フレームを掛け渡して連結固定すると共に、前記枢軸鞘菅と前記回動枢軸穴に回動ロッド軸を挿入して前記ロックフレームユニットを前記天板取付けフレームに枢着固定し、前記ガイドローラを前記回動ロックフレームのガイドローラ挿入穴から挿入して摺動ガイド長穴内を摺動可能とし、バネ体の一端を前記ロック解除ブラケットのバネ体掛止穴に掛止すると共に、該バネ体の他端を天板の裏側に固着して形成される手段を採る。
【発明の効果】
【００１０】  本発明の支脚ロック装置によれば、支脚ロック装置の回動ロックフレームを下方に押し下げてガイドローラをロック落とし込み穴から開放することによって、従動的にロック状態が解除されるといった優れた効果を奏する。【００１１】  また本発明の支脚ロック装置によれば、支脚を単に起立状態にすることでガイドローラがロック落とし込み穴に落とし込まれることによって、支脚が従動的にロック状態となるといった優れた効果を奏する。【００１２】  また本発明の支脚ロック装置によれば、支脚を起伏状態とすることで天板取付けフレームの長手方向内側端に付設される係止ストッパーによって、支脚が確実に係止（格納・保持）されるといった優れた効果を奏する。【００１３】  また本発明の支脚ロック装置によれば、ガイドローラが使用状態において回動ロックフレームのロック落とし込み穴に落とし込まれて確実にロックされることによって、支脚のロックが身体などの衝突などで不用意に解除されることがないため、テーブルの上に配膳された料理が傾いて落下することがないといった優れた効果を奏する。
【図面の簡単な説明】
【００１４】
【図１】本発明における支脚ロック装置の下方から見た分解斜視図である。（実施例１）
【図２】本発明における支脚ロック装置の取り付け状態を示す説明図である。
【図３】本発明における支脚ロック装置のロック状態を示す説明図である。
【図４】本発明における支脚ロック装置の解除状態を示す説明図である。
【図５】本発明における支脚ロック装置の係止状態を示す説明図である
【発明を実施するための形態】
【００１５】  本発明における支脚ロック装置１０は、折畳み長テーブル４０の長手方向の両側に設けられる支脚ロック装置１０であって、該支脚ロック装置１０は、天板４１の裏側に取り付けられる支脚基台ユニット２０と、支脚２５を起立状態でロックすると共に、起伏した状態で解除するロックフレームユニット３０と、で構成し、支脚２５を起立させることで従動的にロック状態となると共に、起伏させる操作を行うことで従動的にロック状態が解除される手段を採ったことを最大の特徴とする。以下、本発明における支脚ロック装置１０の実施形態を図面を基に説明する。
【００１６】  尚、本発明における支脚ロック装置１０は、以下に述べる実施例に特に限定されるものではなく、本発明の技術的思想の範囲内、すなわち同一の作用効果を発揮できる形状及び寸法ならびに材質の範囲内で適宜変更することができる。
また、摺動ガイド長穴３２を摺動するガイドローラ２６は、正確にはガイドローラ２６の摺動溝２６ａが摺動ガイド長穴３２の端面を摺動するが、明細書内の説明ならびに図面の図示内容が複雑になるため、摺動状態はガイドローラ２６の動きに沿って説明している。
【実施例１】
【００１７】  図１は、本発明における支脚ロック装置の下方から見た分解斜視図である。
図２は、本発明における支脚ロック装置の取り付け状態を示す全体図である。
本発明の支脚ロック装置１０は、折畳み長テーブル４０の長手方向の両側に設けられる支脚ロック装置１０であって、天板４１の裏側に取り付けられる支脚基台ユニット２０と、支脚２５をロックならびに解除するロックフレームユニット３０と、で構成される。【００１８】  支脚基台ユニット２０は、天板４１の短手方向の両側に長手方向と平行に設けられる天板取付けフレーム２１に起立ならびに起伏状態に回動される支脚２５を回動軸ピン２２を介して枢着される形状に形成される。【００１９】  天板取付けフレーム２１は、折畳み長テーブル４０の天板４１裏側の短手方向の両側に長手方向と平行に固設されて、起立ならびに起伏状態に回動される支脚２５を回動軸ピン２２を介して枢着し、該側面の所定の位置には、回動ロッド軸３８が挿入される回動軸穴２３を横貫し、さらに延設される長手方向内側端には、支脚２５が起伏状態で係止（格納・保持）される係止ストッパー２４を付設して形成される。【００２０】  係止ストッパー２４は、合成樹脂またはバネ板等で形成され、支脚２５が起伏状態で確実に係止（格納・保持）される形状に形成されて、天板取付けフレーム２１の長手方向内側端に付設される。【００２１】  支脚２５は、天板取付けフレーム２１に回動軸ピン２２を介して枢着され、所定の位置には、回動ロックフレーム３１の摺動ガイド長穴３２間を摺動するガイドローラ２６を短手方向の内向きに配設すると共に、支脚２５同士を連結する連結桟フレーム２７を所定の位置に連結し、支脚先端部には、ゴム脚２５ａを嵌め込んで形成される。【００２２】  ガイドローラ２６は、支脚２５の所定の位置に回動ロックフレーム３１の摺動ガイド長穴３２間を摺動する摺動溝２６ａを形成して短手方向の内向きに配設される。【００２３】  ロックフレームユニット３０は、長手方向外側に配置されるロック解除ブラケット３６と、長手方向内側に配置される枢軸鞘菅３５を、ガイドローラ挿入穴３３と下方に屈曲するロック落とし込み穴３４とを連通する摺動ガイド長穴３２を設けた回動ロックフレーム３１で両側から挟み込んで連結固定される形状に形成される。【００２４】  摺動ガイド長穴３２は、ガイドローラ挿入穴３３と下方に屈曲するロック落とし込み穴３４とを連通する形状に形成され、そのガイド長穴に沿ってガイドローラ２６が誘導されて摺動することによって、支脚２５が回動自在に起立ならびに起伏状態となる。【００２５】  ガイドローラ挿入穴３３は、摺動ガイド長穴３２の長手方向の内側端に設けられるもので、ガイドローラ２６を回動ロックフレーム３１の摺動ガイド長穴３２に最初に組み入れる際に挿入される穴である。【００２６】  ロック落とし込み穴３４は、摺動ガイド長穴３２の長手方向の外側端に設けられるもので、ガイドローラ２６が回動ロックフレーム３１の摺動ガイド長穴３２を摺動して最後に落とし込まれる穴である。ロック落とし込み穴３４が下方に屈曲していることによって、支脚２５を起立ならびに起伏状態にすることによって従動的にロックならびに解除することができる。【００２７】  枢軸鞘菅３５は、ロックフレームユニット３０の長手方向内側に配置されて、枢軸鞘菅３５と天板取付けフレーム２１の回動軸穴２３に回動ロッ���軸３８を挿入してＥリングによって天板取付けフレーム２１に枢着固定される。【００２８】  ロック解除ブラケット３６は、ロックフレームユニット３０の長手方向外側に配置されてバネ体３９の一端を掛止するバネ体掛止穴３７を設けて回転不能の形状に形成されて、Ｅリングによって回動ロックフレームユニット３０に連結固定されるもので、ロック解除時は、ロック解除ブラケット３６を下方に押し下げて支脚２５を内側に押し倒すことでバネ体３９の付勢力も伴って従動的に支脚２５のロック状態を解除することができる。【００２９】  バネ体３９は、その一端がロック解除ブラケット３６のバネ体掛止穴３７に掛止され、他端が折畳み長テーブル４０の裏側に固定され、支脚２５を起立又は起伏状態にすることでロックフレームユニット３０が回動して引き戻される際にガイドローラ２６がロック落とし込み穴３４から上方に引き上げられてロック状態が解除される。【００３０】  以上で構成される本発明の支脚ロック装置１０は、ロック解除ブラケット３６を下方に押し下げて支脚２５を内側方向に押し倒すことで、バネ体３９の付勢力も伴って従動的に支脚２５のロック状態が解除できると共に、支脚ロック装置１０の回動ロックフレーム３１を上方に回動させてガイドローラ２６をロック落とし込み穴３４に誘導することによって、従動的に支脚２５をロックすることができ、さらに天板取付けフレーム２１の長手方向内側端に付設される係止ストッパー２４によって、支脚２５が起伏状態で確実に係止（格納・保持）され、また使用状態において回動ロックフレーム３１のロック落とし込み穴３４に確実に落とし込まれてロックされることによって、支脚２５のロックが身体などの衝突によって不用意に解除されることがないため、折畳み長テーブル４０の上に配膳された料理が傾いて落下することがないといった多くの使用上の利点を有して形成される。【００３１】  図３は、本発明における支脚ロック装置のロック状態を示す説明図である。
図３（ａ）は支脚ロック装置１０の支脚２５の作動状態を示す説明図である。図３（ｂ）はガイドローラ２６とロック落とし込み穴３４の摺動状態を示す拡大図である。折畳み長テーブル４０の支脚２５を起立状態にすることによって、ガイドローラ２６が回動ロックフレーム３１の摺動ガイド長穴３２を摺動してロック落とし込み穴３４に落とし込まれる。そしてその落とし込まれたガイドローラ２６は、下向きに形成されるロック落とし込み穴３４とバネ体３９の引張力によってロック落とし込み穴３４の側端面３４ａに当接されて確実にロックされる。【００３２】  図４は、本発明における支脚ロック装置の解除状態を示す説明図である。
図４（ａ）は支脚ロック装置１０の支脚２５の作動状態を示す説明図である。図４（ｂ）はガイドローラ２６とロック落とし込み穴３４の摺動状態を示す拡大図である。回動ロックフレーム３１の外側方向端に設けられるロック解除ブラケット３６を下方に押し下げて支脚２５を内側方向に押し倒すことによって、ガイドローラ２６が下向きに形成されるロック落とし込み穴３４から外れ、その状態でガイドローラ２６が摺動ガイド長穴３２の上方へと移動してロック状態が従動的に解除される。【００３３】  図５は、本発明における支脚ロック装置の係止状態を示す説明図である。
図５（ａ）は支脚ロック装置１０の支脚２５の作動状態を示す説明図である。図５（ｂ）はガイドローラ２６とロック落とし込み穴３４の摺動状態を示す拡大図である。ガイドローラ２６が摺動ガイド長穴３２を移動して回動ロックフレーム３１が天板取付けフレーム２１に対して起伏状態になると、天板取付けフレーム２１の長手方向内側端に付設される係止ストッパー２４によって回動ロックフレーム３１が天板取付けフレーム２１に確実に係止（格納・保持）される。
【産業上の利用可能性】
【００３４】  本発明における支脚ロック装置は、折畳み長テーブルの支脚を起立させることで従動的にロック状態となると共に、起伏させる操作を行うことで従動的にロック状態が解除されることから、従来に増して多様のテーブル用の支脚ロック装置として広く利用できるもので、本発明における「支脚ロック装置」の産業上の利用可能性は極めて大であるものと解する。
【符号の説明】
【００３５】１０    支脚ロック装置
２０    支脚基台ユニット
２１    天板取付けフレーム
２２    回動軸ピン
２３    回動軸穴
２４    係止ストッパー
２５    支脚
２５ａ  ゴム脚
２６    ガイドローラ
２６ａ  摺動溝
２７    連結桟フレーム
３０    ロックフレームユニット
３１    回動ロックフレーム
３２    摺動ガイド長穴
３３    ガイドローラ挿入穴
３４    ロック落とし込み穴
３４ａ  側端面
３５    枢軸鞘菅
３６    ロック解除ブラケット
３７    バネ体掛止穴
３８    回動ロッド軸
３９    バネ体
４０    折畳み長テーブル
４１    天板
【図１】
2016179156.tif 000003
【図２】
2016179156.tif 000004
【図３】
2016179156.tif 000005
【図４】
2016179156.tif 000006
【図５】
2016179156.tif 000007